(57)【特許請求の範囲】
【請求項１】
少なくとも複数の発光部と光を伝達するライトガイドと前記複数の発光部から発せられた光を前記ライトガイドの入射端面に集光する集光光学系とから構成され、
前記複数の発光部の中心は何れもほぼ同軸上に配置されて、
前記複数の発光部の中心の相互間及び該発光部の中心と前記ライトガイドの入射端面とは、何れも前記集光光学系を介して互いに共役になるように配置されていることを特徴とする光源装置。
【請求項２】
前記複数の発光部のうち、少なくとも前記ライトガイドの入射端面に最も近い位置に配置されている発光部は、アーク放電式のランプであることを特徴とする請求項１に記載の光源装置。
【請求項３】
前記光源装置は、前記ライトガイドから最も離れた位置に配置された発光部の中心に曲率中心が略一致するように配置された球面ミラーを有していることを特徴とする請求項２に記載の光源装置。
【請求項４】
前記複数の発光部及び集光光学系を挟んで同軸上に複数のライトガイドが配置されていることを特徴とする請求項２に記載の光源装置。
【請求項５】
前記集光光学系は複数のレンズ系により構成され、前記複数の発光部の中心及びライトガイドは、前記各レンズ系を挟みそのレンズ系の焦点距離の４倍の間隔で夫々配置されていることを特徴とする請求項２〜４の何れかに記載の光源装置。
【請求項６】
前記複数の発光部において、少なくとも１つの発光部から発せられる光の分光分布は他の発光部から発せられる光の分光分布とは異なっていることを特徴とする請求項２〜４の何れかに記載の光源装置。
【請求項７】
複数のアーク放電式のランプを備え、少なくとも１つのアーク放電式ランプのアーク軸は他のランプのアーク軸に対し平行ではないことを特徴とする請求項２〜４の何れかに記載の光源装置。
【請求項８】
前記複数の発光部のうち、少なくとも１つは光路中への着脱が可能であることを特徴とする請求項２〜４の何れかに記載の光源装置。
【請求項９】
前記複数の発光部のうち、消費電力が最大のものを前記ライトガイドに最も近い位置に配置したことを特徴とする請求項２〜４の何れかに記載の光源装置。
【請求項１０】
前記アーク放電式のランプのうち、アーク間隔が最大のものを前記ライトガイドに最も近い位置に配置したことを特徴とする請求項２〜４の何れかに記載の光源装置。
【請求項１１】
前記光源装置は内視鏡に用いられることを特徴とする請求項１〜１０の何れかに記載の光源装置。
【発明の詳細な説明】
【０００１】
【発明の属する技術分野】
本発明は、ファイバスコープ，硬性鏡，電子スコープ等内視鏡に用いられる光源装置に関する。
【０００２】
【従来の技術】
近年、体腔内に細長い挿入部を挿入することにより、内臓等を観察したり、必要に応じて処置具チャンネル内に挿通した処置具を用いて各種治療処置が可能な内視鏡が広く用いられている。
従来、このような内視鏡に用いられる光源装置は、光源ランプの後方にのみ反射鏡を配置して、前記光源ランプからの直接光及び前記反射鏡による反射光をライトガイドに入射端面に集光するように構成されていた。
しかしながら、ライトガイドの開口数は総じて小さいため、前記のような従来の光源装置では、光源ランプからの直接光の一部が散乱しライトガイドへの入射効率の低下を招き、光源ランプからの光を効率よくライトガイドに取り込むことは困難であった。
【０００３】
そこで、このような不具合を解決するために、様々な光源装置が提案されているが、そのなかでも特徴的なものを以下に示す。
【０００４】
例えば、図８はこのような目的のために提案された実開昭６２−１０６２０７号公報に記載の光源装置の構成を示す図である。この光源装置では、光源ランプ１の後方に配置された反射鏡２の他に、光源ランプ１の側前方にも反射鏡３が配置されており、光源ランプ１から射出された光を反射鏡３で反射させ、更に反射鏡２で反射させ光ファイバ４の入射端面へ導くようにして、光の利用効率を高めている。
【０００５】
又、図９は、特開平５−４０２２３号公報に開示された照明装置の構成を示す図である。この照明装置では、楕円面鏡５の第１焦点位置の近傍に光源ランプ１を設け、楕円面鏡５の前方に開口部６ａを有する凹面鏡６をその曲率半径が楕円面鏡５の第１焦点に略一致するように配置し、開口部６ａから射出された光が集光レンズ７を介して射出されるように構成されている。この照明装置においても、反射面を光源ランプ１の側前方に配置する方法によって、光源ランプ１からの射出光の有効利用を図っている。
【０００６】
更に、図１０は、特開平７−１７５０４２号公報に開示された内視鏡用光源装置の構成を示す図である。この光源装置は、光源ランプ１と、光源ランプ１からの光をほぼ平行な光束にする反射鏡８と、反射鏡８からの光をライトガイド９の入射端面に集光させる集光レンズ７とから構成されている。このように構成することによって、光源ランプ１からの光を効率よくライトガイド９の入射端面に導くことができる。
【０００７】
【発明が解決しようとする課題】
しかしながら、前述の従来方法により１つの光源からの光を効率よくライトガイド等の入射端面に集光できるようになったとはいえ、この方法によるライトガイド等への入射光量を増加させるには限界がある。１つのランプのみを用いた光源装置において、更なる光量の増加を図る方法として、消費電力の大きなランプを用いることが考えられる。しかしながら、フィラメント発光の場合、消費電力の大きなランプとは消費電力の小さなランプに対して単に発光面積が大きくなっただけであり、輝度そのものは変わらない。又、アーク放電式のランプにおいても、発光中心部の輝度はそれほど変わらないことが多い。このため、消費電力の高いランプを用いても、ライトガイド径がある程度太い場合以外は殆ど効果がない。
よって、ライトガイドに入射させる光量を増加させるためには、単純に輝度そのものを上げる必要がある。輝度を上げるためには、複数のランプを用いて、各ランプからの光線を空間的に足し合わせる必要がある。
【０００８】
ところで、前述のようにライトガイドの開口数は比較的小さく、ある大きさ以上の入射角度を有する光線を入射させることはできない。従って、例えば、２つのランプを別軸上に配置し、これらランプからの光を夫々集光レンズを用いてライトガイドの入射端面に集光させる場合、ライトガイドの入射端面上の照度は１つのランプを用いた場合の２倍になる。しかし、この場合、各ランプからの光線を空間的に足し合わせておらず、輝度そのものは変わらない。このため、実際にライトガイドに取り込まれる光量は１つのランプを用いた場合の２倍にはならず、大きな光量損失を伴う。
そこで、空間的に光線を足し合わせる構成として、各ランプの発光部が同軸上に位置するように配列することが考えられる。
【０００９】
しかし、同軸上に各ランプの発光部が位置するように配列する場合、フィラメントタイプのランプを用いる場合には、各ランプ間にレンズ系を配置したり、ランプの後方に反射鏡を設けたりしても、後方に配置されたランプからの光が前方のランプのフィラメント部に遮られて全ての光がライトガイドの入射端面まで届くとは限らず、ランプを複数使用する効果が薄くなるという問題が生じる。
従って、同軸上に配置された複数のランプの発光部からの光を効率よく利用するためには、各ランプの発光部から発せられた光を空間的に加え合わせることができる構造を有するランプを用いることが好ましい。このようなランプとしては、発光点が空中にあるタイプ、即ち空間で放電する放電式のランプを挙げることができる。より具体的に例示すれば、アーク放電的のランプ等である。
【００１０】
そこで、本発明は上記のような従来技術の有する問題点に鑑みなされたものであり、その目的とするところは、発光部位が空中にあるようなタイプの光源（ランプ）を用いることで光源光の有効利用を図り、用いる光源ランプの数に比例した明るさの照明光を供給できる光源装置を提供することにある。
【００１１】
【課題を解決するための手段】
上記目的を達成するために、本発明による光源装置は、少なくとも複数の発光部と光を伝達するライトガイドと前記複数の発光部から発せられた光を前記ライトガイドの入射端面に集光する集光光学系とから構成され、前記複数の発光部の中心は何れもほぼ同軸上に配置されて、前記複数の発光部の中心の相互間及び該発光部の中心と前記ライトガイドの入射端面とは、何れも前記集光光学系を介して互いに共役になるように配置されていることを特徴としている。
又、本発明の光源装置では、前記複数の発光部のうち、少なくとも前記ライトガイドの入射端面に最も近い位置に配置されている発光部にはアーク放電式のランプが用いられることが好ましい。
又、本発明の光源装置では、前記光源装置は、前記ライトガイドから最も離れた位置に配置された発光部の中心に曲率中心が略一致するように配置された球面ミラーを有していることを特徴とする。
又、本発明の光源装置では、前記複数の発光部及び集光光学系を挟んで同軸上に複数のライトガイドが配置されていることを特徴とする。
又、本発明の光源装置では、前記集光光学系は複数のレンズ系により構成され、前記複数の発光部の中心及びライトガイドは、前記各レンズ系を挟みそのレンズ系の焦点距離の４倍の間隔で夫々配置されていることを特徴とする。
又、本発明の光源装置では、前記複数の発光部において、少なくとも１つの発光部から発せられる光の分光分布は他の発光部から発せられる光の分光分布とは異なっていることを特徴とする。
又、本発明の光源装置では、複数のアーク放電式のランプを備え、少なくとも１つのアーク放電式ランプのアーク軸は他のランプのアーク軸に対し平行ではないことを特徴とする。
又、本発明の光源装置では、前記複数の発光部のうち、少なくとも１つは光路中への着脱が可能であることを特徴とする。
又、本発明の光源装置では、前記複数の発光部のうち、消費電力が最大のものを前記ライトガイドに最も近い位置に配置したことを特徴とする。
又、本発明の光源装置では、前記アーク放電式のランプのうち、アーク間隔が最大のものを前記ライトガイドに最も近い位置に配置したことを特徴とする。
更に、本発明の光源装置では、前記光源装置は内視鏡に用いられることを特徴とする。
【００１２】
【発明の実施の形態】
本発明による光源装置は、複数のランプの発光部がライトガイドの光軸上に配置されて構成されるが、少なくとも最も前記ライトガイドの入射端面に近い位置に配置されるランプはアーク放電式等の発光点が空中にあるタイプの放電ランプが用いられる。理由は、この種のランプは気体中に放電することにより発光するので、発光部位には物理的にフィラメント等の固形物が存在しないため、他の光源からきた光を放電ランプの発光部位に重ねてもフィラメント等により遮られることなく通り抜けることができ、放電ランプの光と他の光源からの光とを空間的に加え合わせることができるからである。
以下、図１に基づき本発明の原理を説明する。
【００１３】
図１は、本発明にかかる光源装置の基本構成を示す光軸に沿う断面図である。本発明の光源装置では、ライトガイド１０の光軸上にランプ１１，１２の発光部が配置されている。ランプ１１，１２にはアーク放電式のものが用いられる。又、ライトガイド１０，ランプ１１間及びランプ１１，ランプ１２間には夫々集光光学系１５，１６が配置されている。ここで、ランプ１１の発光部の中心とライトガイド１０の入射端面とは、集光光学系１５の物点と像といった共役な関係が維持されている。又、集光光学系１６に対するランプ１２の発光部の中心とランプ１１の発光部の中心との関係も同様である。更に、ランプ１２の後方には球面ミラー１７がその焦点位置がランプ１２の発光部の中心位置と略一致するように配置されている。
【００１４】
図１において、ランプ１１からライトガイド１０側へ射出された光束は集光光学系１５によってライトガイド１０の入射端面に集光される。又、ランプ１２からライトガイド１０側へ射出された光束は、集光光学系１６によりランプ１１の発光部に集光されるが、各ランプは気体中に放電することで発光しているため、外部から発光部に入射する光を遮るようなことはない。よって、ランプ１１の発光部に入射したランプ１２からの光束はそのままランプ１１の発光部を通過し、更に集光光学系１５によってライトガイド１０の入射端面に集光される。
従って、ライトガイド１０の入射端面に集光された光束は、ランプ１１及びランプ１２から射出された光束が夫々空間的に加え合わされた状態になる。
このような光束を空間的に加え合わせる方法は、特に、内視鏡に用いられる径の細いライトガイドへ光を入射させるような場合に有効である。
【００１５】
更に、本発明の光源装置では、ランプ１２の後方に曲率中心がランプ１２の発光部の中心と略一致するように球面ミラー１７が配置されている。従って、ライトガイド１０とは反対方向に射出されたランプ１１からの光束は、レンズ１６を介してランプ１２からの発光部に集光される。ここに集光された光束はランプ１２からライトガイド１０とは反対側へ射出される光を加え合わされて球面ミラー１７へ向けて射出される。更に、この光束は球面ミラー１７によって反射され再度ランプ１２の発光部に集光される。そして、ここに集光された光束は、ランプ１２からライドガイド１０の方向へ向けて射出される光束と同様の経路を辿って、ライトガイド１０の入射端面へ導かれるようになっている。
このように、本発明の光源装置では、各ランプからライトガイド１０とは反対側に射出された光束も、ライトガイド１０側に射出された光束と加え合わせて利用できるため、各ランプから射出される光の有効利用が可能となる。具体的には、従来の光源装置と比べて、用いるランプの数量倍（図１に示した光源装置の場合は２倍）の光量をライトガイド１０へ供給することができる。
【００１６】
尚、この例では２つの光源を何れもアーク放電式のランプとしたが、後に実施例として示す通り、ライトガイドから遠い方のランプについてはフィラメントをもつタイプのランプを用いてもよい。この場合は、各ランプからライトガイドとは反対側に射出される光が一部フィラメントで遮られるため、最終的にライトガイドの入射面に到達する光量は図示した例と比較するとある程度減少するが、２つのランプからの光を加え合わせる効果は充分に生ずるので、従来の光源装置と比較すれば相当程度多い光量をライトガイドに供給できることに変わりはない。
【００１７】
以下、図示した実施例に基づき、本発明を更に詳しく説明する。
【００１８】
第１実施例
図２は、本実施例にかかる光源装置の構成を示す光軸に沿う断面図である。本実施例の光源装置では、アーク放電式のランプ１１，１２，１３の発光部が夫々ライトガイド１０の光軸上に配置されている。ライトガイド１０とランプ１１との間にはレンズ２１が配置されている。又、同様に、ランプ１１，ランプ１２間及びランプ１２，１３間にも夫々レンズ２２，２３が配置されている。ここで、ライトガイド１０の入射端面とランプ１１の発光部の中心とはレンズ２１を介して共役な関係にあり、ランプ１１の発光部の中心とランプ１２の発光部の中心，ランプ１２の発光部の中心とランプ１３の発光部の中心も夫々レンズ２２，レンズ２３を介して共役な関係が維持されている。
尚、本実施例の光源装置において、レンズ２１，２２，２３は何れも等倍結像のものが用いられており、何れもｆ1を焦点距離とするものである。そして、ライトガイド１０の入射端面とランプ１１の発光部の中心との間の距離及びその他の各ランプの発光部の中心間の距離は、何れもｆ1の４倍（４ｆ1）となっている。
更に、ライトガイド１０から最も離れた位置にあるランプ１３の後方には、球面ミラー１７がその曲率中心がランプ１３の発光部の中心と略一致するように配置されている。
ている。又、集光光学系１６に対するランプ１２の発光部の中心とランプ１１の発光部の中心との関係も同様である。更に、ランプ１２の後方には球面ミラー１７がその焦点位置がランプ１２の発光部の中心位置と略一致するように配置されている。
【００１９】
このような構成により、本実施例の光源装置は、各ランプからライトガイド１０側へ射出された光束に、ライトガイド１０とは反対方向に射出された光束を空間的に加え合わせて利用することができ、従来の光源装置に比べて、用いるランプの数量倍の光量をライトガイド１０へ供給することが可能になる。
【００２０】
更に、アーク放電式のランプとして、例えばメタルハライドランプのような発光部が回転楕円体の如く発光するタイプのものを用いる場合、レンズを介したランプの発光部の投影像は楕円形状となる。ところが、ライトガイドの入射端面の形状は円形であるため、ライトガイドに効率よく光を取り込むためには、そのライトガイドの入射端面上に形成される集光スポットの形状も円形であることが好ましい。よって、メタルハライドランプ等を用いる場合には、各ランプ間でそのアーク軸の方向、即ち発光部の軸方向が互いにクロスするように夫々のランプを配置することが好ましい。このように配置することにより、ライトガイドの入射端面上における集光スポットの形状が円形に近い状態となる。又、各ランプのアーク軸による光束のけられを最小限に抑えることもできる。
各アーク軸（発光部の軸）のクロス配置の角度位置関係は、円（３６０°）をランプの数で等分した角度をなすように、即ち３つのランプを用いた場合には３つの発光部の軸の角度が互いに１２０°ずつとなるように配置することが最も望ましいが、少なくとも２つのランプの発光軸が互いにクロスするように配置するだけでも効果がある。
【００２１】
又、本発明の光源装置にアーク間隔の異なるランプを複数用いる場合には、アーク間隔が最長のランプをライトガイドに最も近い位置に配置することにより、ランプのアーク軸による光束のけられを最小限に抑えることができる。
【００２２】
又、本発明の光源装置では、異なる分光強度分布の光を発するランプを組み合わせて用いることにより、観察目的物への射出光の色，温度等を調整することが可能になる。特に、メタルハライドランプを用いる場合、このランプからの光には干渉性のある線スペクトルが含まれるため、異なる種類のメタルハライドランプを組み合わせて用いることにより、各ランプから発せられる光束同士の干渉を弱めることができる。
【００２３】
更に、本発明の光源装置では、各ランプの光路中への着脱が可能になっている。よって、輝度の異なるランプを自由に組み合わせて用いることができ、高輝度から低輝度に至るまで全ての輝度範囲を満足し得る照明光を供給することが可能になる。又、用いるランプの耐性に合わせて光源装置全体の輝度を選択することもできる。
【００２４】
又、本発明の光源装置では、複数のランプから射出される光束をリレーしているため、ライトガイドに最も近い位置のランプの熱負荷が最大となる。そこで、各ランプの消費電力が異なる場合には、消費電力が最大のものをライトガイドに最も近い位置に配置するとよい。これは、一般に、消費電力の高いランプの方が熱的な負荷に強く、この熱的負荷を考えると、ライトガイドに最も近い位置に消費電力が最大のランプを配置するのがよいためである。
【００２５】
又、本発明の光源装置では、各ランプの発光部が同一の光軸上に配置されていることを要するが、光路中にミラーを配置することによって光軸を曲げて構成することもできる。このように構成された光源装置の例を図３に示す。ここに示す光源装置では、ランプ１１の発光部の中心はレンズ２１を介してライトガイド１０の入射端面と共役になっており、更に、ランプ１１の発光部の中心はレンズ２４，２５を介してランプ１３の発光部の中心と共役になっている。又、ミラー３０を挟んだレンズ２４とレンズ２５との間は略アフォーカル系になるように構成されている。
【００２６】
第２実施例
図４は、本実施例にかかる光源装置の構成を示す光軸に沿う断面図である。ここに示すように、本実施例の光源装置では、図２に示した第１実施例の光源装置において、球面ミラー１７に代えてもう１つのライトガイド１０’を配置し、更にこのライトガイド１０’とランプ１３との間にレンズ２６を配置して構成されている。
このように、本実施例の光源装置では、反射ミラーを用いず、２灯火タイプの構成を採用したため、各ライトガイドの入射端面へ導かれる光量は第１実施例のものに比べて半分の量となるが、２本のライトガイドに伝達される光の光量を合わせると第１実施例の光源装置の場合と同様になる。よって、結果的には、従来装置と比較して、用いられるランプの発光部の中心の相互間及びランプの発光部の中心とライトガイドの入射端面とは、その間に配置されているレンズを介して共役な関係が維持されていることは云うまでもない。
【００２７】
第３実施例
図５は、本実施例にかかる光源装置の構成を示す光軸に沿う断面図である。本実施例は、アーク放電式ランプとフィラメント発光式ランプとを混在させて構成した光源装置の例である。本実施例の光源装置は、第１実施例に示した光源装置と比較して、アーク放電式のランプ１３に代えて、フィラメント発光式のランプ１３’が配置され、球面ミラー１７が用いられていない点のみ異なる。本実施例の光源装置では、レンズ２３を介してランプ１３’のフィラメント部に集光される光束は一部がフィラメント部で反射されて戻ってくるため、球面ミラーを用いなくてもランプ１１，１２からライトガイド１０とは反対側に射出した光を有効利用できる効果が得られる。よって、球面ミラーを用いなくても、第１実施例の光源装置と同様の効果が得られる。
【００２８】
第４実施例
これまでに示した光源装置は、全ての集光光学系をレンズを用いて構成したものであるが、本発明の光源装置は集光光学系にミラーを用いて構成することも可能である。そこで、全ての集光光学系をミラーのみで構成した光源装置を第４実施例として図６に示す。
【００２９】
本実施例の光源装置では、集光光学系として、楕円面ミラー３１，３２，球面ミラー３３を用いている。楕円面ミラー３１は２つの焦点を有する楕円回転ミラーであり、これら２つの焦点が夫々ライトガイド１０の光軸上のＦ1，Ｆ2に位置するように配置されている。又、楕円面ミラー３２も２つの焦点を有する楕円回転ミラーであり、これら２つの焦点が夫々前記Ｆ2とライトガイド１０の入射端面上のＦ3に位置するように配置されている。一方、球面ミラー３３はその曲率中心が前記Ｆ2に位置するように配置されている。更に、アーク放電式のランプ１１，１２は夫々の発光部の中心が前記Ｆ1，Ｆ2に位置するように配置されている。
【００３０】
本実施例の光源装置では、Ｆ1 に位置するランプ１１の発光部から射出された光束は、楕円面ミラー３１により反射されＦ2 へ集光される。ここに集光された光束は、Ｆ2 に位置するランプ１２の発光部から射出される光束と加え合わされて楕円面ミラー３２へ向けて射出され、ここで反射された光束がライトガイド１０の入射端面に集光される。一方、Ｆ2 を経て楕円面ミラー３２に反射されずに発散される光束も生ずるが、この光束は、前記球面ミラー３３により反射されてＦ2 の位置に戻された後、再度楕円面ミラー３２により反射されてライトガイド１０の入射端面に集光される。
従って、本実施例の光源装置においても、各ランプから射出された光束を有効に利用することができ、前記各実施例に示された装置と同様に、用いられているランプの数量倍の光量をライトガイド１０の入射端面に導くことができる。
【００３１】
第５実施例
更に、本発明の光源装置は、レンズとミラーとを組み合わせて構成された集光光学系を用いることもできる。本実施例では、このような構成を有する光源装置について説明する。
【００３２】
図７は、本実施例にかかる光源装置の構成を示す光軸に沿う断面図である。本実施例の光源装置は、ライトガイド１０と、このライトガイド１０の光軸上に発光部が配置されているランプ１１，１２と、ライトガイド１０とランプ１１との間に配置されたレンズ４１と、焦点位置がランプ１２の発光部の中心と略一致するように配置された楕円面ミラー４２と、ランプ１２の発光部から側前方に射出された光束を再度ランプ１２の発光部へ戻すためにランプ１２の側前方に配置された球面ミラー４３とから構成されている。尚、ライトガイド１０の入射端面とランプ１１の発光部の中心とは、レンズ４１を介して共役な関係が維持されている。
【００３３】
このように構成された本実施例の光源装置では、ランプ１１からライトガイド１０側へ射出された光束はレンズ４１を介してライトガイド１０の入射端面に集光される。一方、ランプ１１からライトガイド１０とは反対側に射出された光束は、楕円面ミラー４２によりランプ１２の発光部に集光され、ランプ１２の発光部から発せられる光束と加え合わされ再度楕円面ミラー４２に向けて射出される。そして、この楕円面ミラー４２で反射されランプ１１の発光部に集光された後、レンズ４１を介してライトガイド１０の入射端面に集光される。更に、ランプ１２の発光部から側前方（楕円面ミラー４２に当たらない部分）へ射出された光束は、球面ミラー４３により再度ランプ１２の発光部へ戻された後、前述と同様の経路でライトガイド１０の入射端面へ導かれる。
尚、本実施例の光源装置において、楕円面ミラー４２に代えて放物面鏡とレンズとの組み合わせ等を用いることも可能である。
【００４４】
【発明の効果】
上述のように、本発明の光源装置は、光源にアーク放電式のランプを備えることにより光源光を効率よく活用でき、且つ、用いられる光源ランプの数に比例した明るさの照明光を供給することができる。
【図面の簡単な説明】
【図１】本発明による光源装置の基本構成を示す光軸に沿う断面図である。
【図２】第１実施例にかかる光源装置の構成を示す光軸に沿う断面図である。
【図３】図２に示した光源装置の他の一例を示す図である。
【図４】第２実施例にかかる光源装置の構成を示す光軸に沿う断面図である。
【図５】第３実施例にかかる光源装置の構成を示す光軸に沿う断面図である。
【図６】第４実施例にかかる光源装置の構成を示す光軸に沿う断面図である。
【図７】第５実施例にかかる光源装置の構成を示す光軸に沿う断面図である。
【図８】従来の光源装置の構成を示す光軸に沿う断面図である。
【図９】従来の光源装置の構成を示す光軸に沿う断面図である。
【図１０】従来の光源装置の構成を示す光軸に沿う断面図である。
【符号の説明】
１                光源ランプ
２，３，８        反射鏡
４                光ファイバ
５                楕円面鏡
６                凹面鏡
６ａ              開口部
７                集光レンズ
９，１０，１０’            ライトガイド
１１，１２，１３，１３’    ランプ
１５，１６，                集光光学系
１７，３３，４３            球面ミラー
２１，２２，２３，２４，２５，２６，４１    レンズ
３１，３２，４２            楕円面ミラー
【図１】
0003811227.tif 000002
【図２】
0003811227.tif 000003
【図３】
0003811227.tif 000004
【図４】
0003811227.tif 000005
【図５】
0003811227.tif 000006
【図６】
0003811227.tif 000007
【図７】
0003811227.tif 000008
【図８】
0003811227.tif 000009
【図９】
0003811227.tif 000010
【図１０】
0003811227.tif 000011